(57)【要約】【課題】空気から、現在の吸収材料では効果的がない物質、特にホルムアルデヒドを吸収する媒体を加えることによってフィルターカートリッジの性能を改善する方法の提供。【解決手段】濾材を確実に保持する構造体２０を具え、濾材は活性炭及びゼオライトから選択される標準的な吸収材料であり、１つ又は複数枚のフィルム２１に含浸させられ、アルデヒド類の化学汚染物質を捕捉できる様に、エナミノン、対応するβ−ジケトン/アミン対、イミン、ヒドラジンとこれらの化合物から誘導される塩とから選択されるプローブ分子で機能化させた微小多孔質の特定吸収材料を更に具える空気清浄化のためのフィルターカートリッジ。【選択図】図１
2019034238.tif 000002
【特許請求の範囲】
【請求項１】
濾材を確実に保持する構造体(１２，２０)を具え、前記濾材は活性炭およびゼオライトからなるグループから選択される標準的な吸収材料を具え、前記濾材はアルデヒド類の化学汚染物質を捕捉することができるようなプローブ分子で機能化された微小多孔質の特定吸収材料をさらに具え、この特定吸収材料は、ゾル−ゲル法により製造されて前記プローブ分子の金属酸化物の多孔質構造体に取り込まれ、アルデヒド基と反応することができる官能基を担持する前記プローブ分子は、エナミノンおよび対応するβ−ジケトン/アミン対と、イミンと、ヒドラジンと、これらの化合物から誘導される塩とからなるグループから選択されることを特徴とする空気清浄器のためのフィルターカートリッジ。
【請求項２】
前記濾材を確実に保持する前記構造体は、硬質の胞状構造体(１２)であって、その胞状体(１１)が前記濾材を収容することを特徴とする請求項１に記載の空気清浄器のためのフィルターカートリッジ。
【請求項３】
微小有孔フィルムが前記硬質の胞状構造体(１２)の上流(１５)面および下流(１４)面に組み付けられていることを特徴とする請求項２に記載の空気清浄器のためのフィルターカートリッジ。
【請求項４】
濾材に対する前記胞状体の充填率が４０％よりも大きいことを特徴とする請求項２に記載の空気清浄器のためのフィルターカートリッジ。
【請求項５】
前記特定吸収材料が０.８ｍｍから２ｍｍまでの間にある細粒の形態にあることを特徴とする請求項１から請求項４の何れかに記載の空気清浄器のためのフィルターカートリッジ。
【請求項６】
前記細粒の形状が円柱状であってＬ／Ｄ＞１の比率を持ち、ここでＬが細粒の長さに対応すると共にＤが細粒の直径に対応することを特徴とする請求項５に記載の空気清浄器のためのフィルターカートリッジ。
【請求項７】
前記濾材を確実に保持する前記構造体(２０)は、前記標準的な吸収材料と前記特定吸収材料とを含浸／散布した複数枚のフィルム(２１)の集合体であることを特徴とする請求項１に記載の空気清浄器のためのフィルターカートリッジ。
【請求項８】
前記特定吸収材料の重量が前記標準的な吸収材料の重量の５％から９５％までの間に対応することを特徴とする請求項１から請求項７の何れかに記載の空気清浄器のためのフィルターカートリッジ。
【請求項９】
前記特定吸収材料の特定表面積が６００ｍ2/ｇから１２００ｍ2/ｇまでの間にあることを特徴とする請求項１から請求項８の何れかに記載の空気清浄器のためのフィルターカートリッジ。
【請求項１０】
請求項１から請求項９の何れかに記載のフィルターカートリッジを少なくとも１つ具えていることを特徴とする空気清浄器。
【発明の詳細な説明】
【技術分野】
【０００１】
本発明は、一般的には空気清浄器の分野、より詳細には、これらの種類の器具のための特にアルデヒドおよびホルムアルデヒドを吸収する能力を持ったフィルターカートリッジに関する。
【背景技術】
【０００２】
アルデヒドという用語は、ホルムアルデヒドと、アセトアルデヒドと、プロピオンアルデヒドと、ブチルアルデヒドと、アクロレインと、ペンタナールと、ヘキサナールと、ベンズアルデヒドとからなるグループから好ましくは選択される末端カルボニル官能基を有するあらゆる有機分子を示す。
【０００３】
アルデヒドは最も豊富な家庭の化学汚染物質に含まれている。これらの供給源は非常に多数である。これらはメタンの光酸化の如き屋外製品に結合されることができる。しかしながら、遊離アルデヒドの主たる供給源は住居内に見いだされ、チップボードやパーティクルボードおよび合板を製造するために用いられる樹脂および接着剤や、壁および仕切りに注入することにより断熱材として用いられる尿素−ホルムアルデヒド断熱発泡体および布帛カバーならびに壁紙や塗料や皮革など、極めて多様である。
【０００４】
ホルムアルデヒドはまた、防腐剤または消毒剤あるいは乾燥剤である。これらの理由のため、これは病院環境にて手術器具を殺菌するための溶媒として、また死体防腐処理が行われる葬儀サービス業にても広く用いられている。
【０００５】
このような化学汚染物質の公衆衛生に対する悪影響を考慮すると、アルデヒド（およびとりわけホルムアルデヒド）の濃度を減らすと共に新奇な除染器具を提供することによって、家屋における雰囲気の浄化を確実にすることが必要であると思われる。
【０００６】
周知の従来技術によると、空気中に存在する気体の化学汚染物質を処理するための方法は２つのカテゴリーに分けられることができる。すなわち、
・有機化合物を完全な無機質化まで、すなわちこれらが酸化または光酸化によってＣＯ2およびＨ2Ｏに変換するまで分解することにより、汚染物質を分解すること。  
・汚染物質を保持するけれども分解しない多孔質吸収材料により、これを捕捉すること。これらの材料は、ゼオライトおよび活性炭材料であり、これらは揮発性有機化合物および臭気を捕捉するための空気処理で一般に用いられる。
【０００７】
第１のカテゴリーは、オゾンの如き酸化剤を用いる器具か、または光触媒またはプラズマの如き酸化を与える技術に基づく。
【０００８】
第２のカテゴリーは、大きな特定表面積（＞１００ｍ2/ｇ）を持つ多孔質材料の吸収力および吸収能力を利用し、分子は多孔質媒体に保持されるけれども分解されない。
【発明の概要】
【発明が解決しようとする課題】
【０００９】
第１のカテゴリーは、複雑であって相対的に高価である欠点を有する。さらにまた、それは除去される化合物よりもさらに危険ということになるかも知れない二次分解生成物を生み出す可能性がある。
【００１０】
第２のカテゴリーは、除去されるべき１つの化学物質から他のものまで捕捉割合が大きく変動するという欠点を有する。例えば、活性炭は芳香族化合物を吸収するのに極めて効果的であるけれども、アルデヒドや特にホルムアルデヒドを吸収するためには全く効果がない。
【００１１】
吸収材料の製造業者らは、これらの材料の吸収性を、これらを機能化させることによって改善しようと努力している。困ったことに、この機能付与は注入により達成され、これが充分な量でなされた場合、細孔を塞いでしまう欠点を有し、従って捕捉性能を制限する。
【００１２】
本発明の目的は、現在の吸収材料では効果的がない物質、特にアルデヒド、とりわけホルムアルデヒドに関し、空気から汚染化合物を吸収する媒体を加えることによってフィルターカートリッジの性能を改善することにある。従って、恒久的に形成されたフィルターカートリッジは、すべての大気汚染物質の大部分を大量に捕捉する。
【課題を解決するための手段】
【００１３】
この目的は、濾材を確実に保持する構造体を具え、この濾材は、活性炭およびゼオライトからなるグループから選択される標準的な吸収材料を具え、前記濾材はアルデヒド類の化学汚染物質を捕捉することができるようにプローブ分子で機能化させた微小多孔質の特定吸収材料をさらに具えたことを特徴とする空気清浄器のためのフィルターカートリッジで達成される。
【００１４】
他の別な実施形態によると、前記特定吸収材料は、アルデヒドを捕捉することができるプローブ分子の金属酸化物の微小多孔質構造体に取り込むため、ゾル−ゲル法により製造される。
【００１５】
他の別な実施形態によると、アルデヒド基と反応することができる官能基を担持する前記プローブ分子は、エナミノンと、対応するβ−ジケトン/アミン対と、イミンと、ヒドラジンと、これらの化合物から誘導される塩とからなるグループから選択される。
【００１６】
他の別な実施形態によると、前記濾材を確実に保持する前記構造体は、硬質の胞状構造体であって、その胞状体が前記濾材を収容する。
【００１７】
他の別な実施形態によると、微小有孔フィルムが前記硬質の胞状構造体の上流面および下流面に組み付けられる。
【００１８】
他の別な実施形態によると、濾材に対する前記胞状体の充填率が４０％よりも大きい。
【００１９】
他の別な実施形態によると、前記特定吸収材料が０.８ｍｍから２ｍｍまでの間にある細粒の形態にある。
【００２０】
他の別な実施形態によると、前記細粒の形状が円柱状であってＬ／Ｄ＞１の比率を持ち、ここでＬが細粒の長さに対応すると共にＤが細粒の直径に対応する。
【００２１】
他の別な実施形態によると、前記濾材を確実に保持する前記構造体は、前記標準的な吸収材料と前記特定吸収材料とを含浸／散布した複数枚のフィルムの集合体である。
【００２２】
他の別な実施形態によると、前記特定吸収材料の重量は前記標準的な吸収材料の重量の５％から９５％までの間に対応する。
【００２３】
他の別な実施形態によると、前記特定吸収材料の前記特定表面積は６００ｍｍ2/ｇと１２００ｍ2/ｇとの間にある。
【００２４】
本発明はまた、上で規定したようなフィルターカートリッジを具えた空気清浄器にも関係する。
【００２５】
本発明の他の特長および利点は、決して限定していない実施例として与えられ、かつ添付図面に例示した本発明の実施形態の以下の詳細な説明を読解することから、より明確に浮かび上がろう。
【図面の簡単な説明】
【００２６】
【図１】図１は、本発明の第１のフィルターカートリッジ構造体を概略的に例示する。
【図２】図２は、本発明の第２フィルターカートリッジ構造体の正面図を例示する。
【図３】図３は、本発明の第２フィルターカートリッジ構造体の立体投影図を例示する。
【図４】図４は、本発明のカートリッジの第１の別な一実施形態に関し、部屋のホルムアルデヒドの濃度変化を例示する。
【図５】図５は、本発明のカートリッジの第２の別な一実施形態に関して部屋のホルムアルデヒドの濃度変化を例示する。
【発明を実施するための形態】
【００２７】
本発明は、濾材を具えたフィルターカートリッジから本質的に構成される。濾材は吸収材料の１つ以上のベッドを具え、これは組み合わせられるか、または別々に作られ、屋内空気中に存在する揮発性有機化合物を吸収することによって除去することを可能にする。本発明によると、吸収される揮発性有機化合物は、とりわけアルデヒドおよび／または溶剤である。このフィルターカートリッジは、雰囲気を浄化するために数ｍ3/ｈから数千ｍ3/ｈ程度の流量にて機能することができる器具に導入されるように設計される。
【００２８】
図１，図２および図３は、本発明の範囲にて用いられる可能性の高いフィルターカートリッジ構造体の実施形態を例示する。
【００２９】
これらの構造体は、空気清浄器を介した空気の流れ中に本発明の濾材の保持を可能にする。
【００３０】
図１は、一連のフィルム２１を具えた（本質的に周知の）構造体２０を例示している。この代案において、濾材は１つまたは複数枚のフィルム２１に含浸させられる。次に、すべてのフィルムは、フィルターカートリッジを形成するために（例えば糊付けまたは溶着により）組み付けられる。
【００３１】
フィルム２１の寸法および数は、空気清浄器の望ましい性能に本質的に依存する。
【００３２】
図２および図３によると、フィルターカートリッジは、硬質の胞状構造体１２を具えている。この代わりの実施形態によると、構造体はハニカム構造である。濾材は、構造体１２の胞状体１１に配される。胞状体１１での濾材の保持を確実にするため、微小有孔フィルムが硬質の胞状構造体１２の下流面１４および上流面１５に配されている。フィルムは、例えば空気流に対して完全に透過性があって、どのような濾過機能も有していない。
【００３３】
２つのフィルターカートリッジ構造体の代替のため、カートリッジは空気清浄器における空気流Ｆに対し直交状態で配されている。
【００３４】
本発明のフィルターカートリッジの寸法形状は、異なる平面または大きさの形態にあってよい。フィルターカートリッジは、１つ以上の吸収材料を含む細粒の混合体および／または連続する層を含む。
【００３５】
本発明によると、濾材は、広範囲の揮発性有機化合物を室内空気から除去することができる少なくとも１つの標準的な吸収材料と、この標準的な吸収材料によって効果的に除去されないアルデヒドおよびより詳細にはホルムアルデヒドの如き化合物を捕捉するための特定吸収材料とを組み合わせたものを具えている。
【００３６】
本発明によると、標準的な吸収材料は、活性炭およびゼオライトからなるグループから選択される。
【００３７】
特定吸収材料は、汚染物質または汚染物質の一群を特に捕捉することができる材料である。例えば、濾材は、微小多孔質構造体に組み込まれた適合プローブ（または有効成分）分子によってアルデヒド族を捕捉することができる。充分な説明を受けた上でのプローブ分子の選択は、ホルムアルデヒドの如き特定の汚染物質の捕捉を可能にすることができる。特定のゾル−ゲル吸収材料を製造するための方法は、注入によらずにその準備中に（本来の場所に）有効成分の導入を可能にする。この特定吸収材料を製造するための方法は、注入がないので細孔を塞ぐことなく、多量の有効成分を導入することを可能にする。従って、注入によって細孔が塞がれてしまうことを回避することができる。
【００３８】
従って、適切な方法でプローブ分子を選択することにより、標準的な吸収剤材料が排除することができないか、またはほんの僅かな量のみ排除することができるに過ぎないホルムアルデヒドの如き有害汚染物質を排除することが可能である。
【００３９】
特定のゾル−ゲル吸収材料の場合、汚染物質は有効反応成分と反応し、より大きな分子量を持つ第３のそれほど有害ではない分子を生じさせ、これは特定吸収材料の微小孔の網状組織に捕捉されたままとなる。他の吸収材料に対し、この特定吸収材料は恒久的な捕捉をもたらす。
【００４０】
一例として、特定吸収材料は、その記述を参照することによってここに組み入れられる仏国特許出願第ＦＲ２８９０７４５号に記載された材料のグループから選択される。
【００４１】
とりわけ、そして限定しない方法において、この材料は、ゾル−ゲル微小多孔質金属酸化物基材を具え、前記基材は、アルデヒド基と反応することができる少なくとも１つの官能基を持った少なくとも１つのプローブ分子を含む。
【００４２】
アルデヒド基と反応することができる官能基を持つプローブ分子は、エナミノンと、対応するβ−ジケトン/アミン対と、イミンと、ヒドラジンと、これらの化合物から誘導される塩とからなるグループから選択される。
【００４３】
エナミノンは次の式
【００４４】
【化１】
2019034238.tif 000003
【００４５】
を有する。
【００４６】
ここで、Ｒ１は水素か、アルキル基またはアリール基であり、
Ｒ２は水素であり、
Ｒ３は水素か、アルキル基またはアリール基であり、
Ｒ４は水素か、アルキル基またはアリール基であり、
Ｒ５は水素である。
【００４７】
加えて、β−ジケトン/アミン対は次の式
【００４８】
【化２】
2019034238.tif 000004
【００４９】
【化３】
2019034238.tif 000005
【００５０】
を有する。
【００５１】
ここで、Ｒ１は水素か、アルキル基またはアリール基であり、
Ｒ２は水素であり、
Ｒ３は水素か、アルキル基またはアリール基であり、
Ｒ４は水素またはアルキル基であり、
Ｒ５は水素または対応する塩である。
【００５２】
加えて、イミンはアクリジンイエローと、メチルイエローと、ジメチルイエローとからなるグループから選択されるシッフ塩基である。
【００５３】
ヒドラジンは次の式
【００５４】
【化４】
2019034238.tif 000006
【００５５】
を有する。
【００５６】
ここで、Ｒ６は水素か、Ｃ１〜Ｃ２０のアルキル基、好ましくはＣ１〜Ｃ１０のアルキル基、より好ましくはメチル基，エチル基，イソプロヒル基，ブチル基，イソブチル基，ｔ−ブチル基，ペンチル基か、あるいはＣ３〜Ｃ１６のアリール基、とりわけフェニル基またはアリールスルホニル基であり、
Ｒ７はＣ３〜Ｃ１６のアリール基、とりわけフェニル基またはアリールスルホニル基である。
【００５７】
本発明によると、ゾル−ゲル法の微小多孔質金属酸化物基材は次の式
Ｍ(Ｘ)m(ＯＲ８)n(Ｒ９)p
を持つ少なくとも１つの金属酸化物から作成される。  
ここで、Ｍはケイ素と、アルミニウムと、チタンと、ジルコニウムと、ニオブと、バナジウムと、イットリウムと、セリウムとからなるグループから選択される金属であり、
Ｒ８およびＲ９はアルキル基またはアリール基の何れかであり、
ｎおよびｍおよびｐは、これらの和がＭの原子価と等しく、ｎが２以上であるような整数であり、
Ｘはハロゲン族元素である。
【００５８】
上で規定したような、特にアルデヒド、とりわけホルムアルデヒドの捕捉を可能にする特定吸収材料は、ホルムアルデヒドの捕捉能力において、揮発性有機化合物全体に対して供される活性炭のそれよりも少なくとも１００倍大きな有効性を持っており、気化したホルムアルデヒドを特に捕捉するために含ませた活性炭のそれよりも１０倍大きい。特定吸収材料の恒久的な捕捉能力は、材料の１グラム当たり少なくとも０.０１ｇのホルムアルデヒドを捕捉し得る。加えて、飽和状態になった場合であっても、この特定吸収材料は、気化したホルムアルデヒドを特に捕捉するため含浸させた活性炭のそれと等しい一定の吸収捕捉能力を有する。
【００５９】
従来技術によると、活性炭またはゼオライトは、アルデヒド、特にホルムアルデヒドを効果的に除去しないけれども、この気体は、一方において室内空気中に非常に豊富に存在し、他方において健康に対し有害である。従って、標準的な吸収材料と特定吸収材料、特にアルデヒド、とりわけホルムアルデヒドに関して効果的なものとを組み合わせることによって、本発明のフィルターカートリッジは、プローブ分子で機能化させた微小多孔質の特定吸収材料の存在に起因してアルデヒド、特にホルムアルデヒドのみならず、活性炭またはゼオライトに起因した他の揮発性有機化合物、特に単環式の芳香族炭化水素（ベンゼン，トルエン，エチレン基，キシレンなど）の除去を可能にする。
【００６０】
標準的な吸収材料と特定吸収材料との組み合わせは、これらの材料を混ぜ合わせるか、あるいは連続した単一材料層にこれらを組み合わせることによって、達成される。
【００６１】
標準的な吸収材料および特定吸収材料をフィルターへの均一な導入のためにあらかじめ混ぜ合わせることができ、あるいはこれらを複数の層か、または物理的に分離された異なる量で散布することにより、別々に導入することができる。
【００６２】
本発明によると、カートリッジの除染／ろ過能力は、とりわけ次のパラメーターによって決定される。  
・標準的な吸収材料と特定吸収材料との間の重量比
・特定吸収材料の特定表面積
・特定吸収材料の形状
・標準的な吸収材料の物理的および化学的特性
【００６３】
標準的な吸収材料と特定吸収材料との間の重量比は、５／９５から９５／５まで変化することができ、特定選択は、特性と、室内空気に存在する汚染物質の量と、達成されるべき望ましい性能とに基づいてなされる。
【００６４】
一実施例として、２０μｇ/ｍ3のホルムアルデヒトと、２００μｇ/ｍ3の他の揮発性有機化合物とを含む空気に関し、１０／９０の重量比の特定吸収材料／活性炭を使用するという選択が与えられよう。しかしながら、特定吸収材料の量を２倍，４倍などにすることによって、本発明の濾材の有効性を２倍，４倍などにすることが可能である。
【００６５】
それ故、例えば他の揮発性有機化合物よりもホルムアルデヒドを１０倍含むホルムアルデヒドでひどく汚染された空気の場合、使用方法は、９０／１０の比率の特定吸収材料／活性炭を有するフィルターから作られよう。
【００６６】
特定吸収材料のために求められた特定表面積は、細孔の寸法に対して反比例的である。それ故、特定表面積がより大きいほど、細孔の寸法がより小さくなる。それ故、およそ１０００ｍ2/ｇの特定表面積を有するためには、細孔の直径が一般的にナノメートルの段階にある。
【００６７】
それ故、最良の妥協は、捕捉する容量および有効性を増大させるための最大特定表面積と、汚染物質が細孔に入ることを可能にする充分な大きさの細孔を有するために超えてはならない限界との間で求められる。目標となる特定表面積の範囲は、１００ｍ2/ｇから１５００ｍ2/ｇまでの間にあり、除去すべき汚染物質の分子の大きさに対応する。例えばホルムアルデヒドに関しては、６００ｍ2/ｇから１２００ｍ2/ｇまでの範囲で選択が与えられよう。
【００６８】
除染のために必要とされるエネルギーを最小にするため、捕捉有効性のための最大吸着表面積（細粒の外表面）が、最少の可能な圧力低下にて得られるように、特定吸収材料のための細粒形状が選択される。
【００６９】
例えば円柱状の細粒の場合、吸着表面積が細粒の平均粒径に対して反比例的であることが知られている。それ故、細粒の径を低減することは、捕捉する表面積の増大のための能力を増大させる。反対に、この低減は、圧力低下およびエネルギー使用量の増大をもたらす。実際、細粒の層がより小さくなり、従ってこれを通過する空気流に対して透過性を少なくする。寸法がミリメートルの段階（０.２ｍｍから８ｍｍ）にある細粒は、最大の効果と過度でない圧力低下との間で最良の妥協を一般的にもたらす。
【００７０】
細長い円柱形状（すなわち、比率Ｌ／Ｄ＞１（Ｌ＝長さ，Ｄ＝直径）を有する）は、これらが射出成形または押し出し成形により容易に製造されるので、非常に重要である。これらの細長い形状は、吸着表面積が低減して圧力低下およびエネルギー使用量が増大しないように平坦な表面が接触することを阻止する。この場合において、ミリメートルの段階（０.２ｍｍから８ｍｍ）にある寸法（長さ）が最良の妥協を同様にもたらす。
【００７１】
他の実施形態によると、細粒は、粒子の大きさがミリメートルの段階（０.２ｍｍから８ｍｍ）にある結果として、粉砕した形態であってよい。この形態はまた、本質的に同一な粒径のために重要であり、これは球形の粒子の場合よりも大きな吸着表面積をもたらす。
【００７２】
使用方法はまた、細粒を分散して圧力低下を減らすために粒間（繊維）支持体から作られる使用方法で与えられた１ｍｍよりも小さな細粒から作ることもできる。この場合、フィルターの表面積を増大させて圧力低下を低減させるため、生地に閉じ込められる混合した標準的な吸収材料／特定吸収材料の細粒のフィルムが考えられる。
【００７３】
さらにまた、硬質の胞状構造体の寸法および胞状体の充填率の如き他の条件も同様に、本発明のフィルターカートリッジの望ましい性能を得るために調整することができる。それ故、この構造体の胞状体の大きさは、特定吸収材料の細粒の最大寸法の１から１０倍までの範囲にある。この大きさは、胞状体において細粒の良好な分布を得ると共に硬質の胞状構造体の胞状体につき、少なくとも１つの細粒を与えることを可能にする。
【００７４】
同様に、標準的な吸収材料と特定吸収材料との混合物を使った胞状体の充填率は、例えば少なくとも４０％である。従って、本発明のフィルターカートリッジの大きさを抑制することができる。
【００７５】
本発明のフィルターカートリッジは、一般的な従来の空気清浄器の意匠に悪影響を与えない。実際、本発明のフィルターカートリッジを従来のカートリッジの代わりに挿入することで足りる。また、本発明のフィルターカートリッジの構成および特長は、空気清浄器の特長に関連して、とりわけ空気流とカートリッジの寸法とに関連して調整されよう。
【００７６】
本発明のフィルターカートリッジの寸法の実施例
第１実施例は、次の特長を有する部屋の除染を達成するために規定している。  
・容積：１２ｍ3
・空気更新割合：５ｍ3/ｈ
・ホルムアルデヒド放出速度：７０.６μｇ/ｍ3
【００７７】
本発明のフィルターカートリッジを用いた空気清浄器の特長は次の通りである。  
・空気流：１４０ｍ3/ｈ
・胞状（ハニカム）フィルターカートリッジ：幅２１ｃｍ，長さ５３ｃｍ，深さ１ｃｍ（通路表面積の合計が０.０６８ｍ2）
・特定吸収材料の重量：２０ｇ
【００７８】
部屋におけるホルムアルデヒドの濃度変化を図４に例示する。
【００７９】
曲線Ａは、本発明の空気清浄器を用いずに７０.６μｇ/ｍ3での制御値を表している。
【００８０】
曲線Ｂは、本発明の空気清浄器が処理状態にある場合の濃度変化を表している。
【００８１】
このように数時間の作業の後、ホルムアルデヒド放出速度が２０μｇ/ｍ3（大衆に開放される施設において推奨されている３０μｇ/ｍ3の割合よりも小さい）よりも低下することを指摘することができる。
【００８２】
第２実施例は、前の実施例と同じ特長を有するが、本発明のフィルターカートリッジを用いた次の特徴を有する空気清浄器にて部屋の除染を達成するために規定している。 
・空気流：７０ｍ3/ｈ
・胞状（ハニカム）フィルターカートリッジ：幅２４ｃｍ，長さ２９ｃｍ，深さ１ｃｍ（通路表面積の合計が０.０４２ｍ2）
・特定吸収材料の重量：１０ｇ
【００８３】
部屋におけるホルムアルデヒドの濃度変化を図５に例示する。
【００８４】
曲線Ａ'は、本発明の空気清浄器を用いずに７０.６μｇ/ｍ3での制御値を表している。
【００８５】
曲線Ｂ'は、本発明の空気清浄器が処理状態にある場合の濃度変化を表している。
【００８６】
このように数時間の処理後、ホルムアルデヒドの放出速度がおよそ３０μｇ/ｍ3であることを指摘することができる。
【００８７】
この詳細な説明に記述された本発明の実施形態に対し、当業者にとって自明な異なる変更および／または改良を、添付した特許請求の範囲により規定された本発明の範囲を逸脱することなく行えることが理解される。
【００８８】
このように、２つの典型的な実施形態が家庭（数ｍ3の容積の部屋）用の空気清浄器のために与えられた。本発明のフィルターカートリッジをより大きな空気清浄器（例えば大衆に開放される施設のために設計されたもの）に適用することが考えられる。これは、より多くのカートリッジか、あるいはより大きな寸法を持つカートリッジを使用することで足りる。
【図１】
2019034238.tif 000007
【図２】
2019034238.tif 000008
【図３】
2019034238.tif 000009
【図４】
2019034238.tif 000010
【図５】
2019034238.tif 000011